Podtech/llm-jp-corpus-v4-ja_patent huggingface dataset:
(57)【要約】【課題】伸縮可能にして便利に使用できるバケツを提供する。【解決手段】その上下部を開放するとともに上端から下端に向かって小径となる傾斜側面を有する筒状の外体を設け、一方、外体と同一傾斜側面を有する上部開放有底の内体を設けるとともに、内体の上端外径を外体の下端内径より大とし、以上の内体と外体の組み合わせよりなることを特徴とする。【選択図】図５
2010089832.tif 000002
【特許請求の範囲】
【請求項１】
その上下部を開放するとともに上端から下端に向かって小径となる傾斜側面を有する筒状の外体を設け、一方、外体と同一傾斜側面を有する上部開放有底の内体を設けるとともに、内体の上端外径を外体の下端内径より大とし、以上の内体と外体の組み合わせよりなることを特徴とする伸縮バケツ。
【請求項２】
外体および内体を中空角体としてなる請求項１記載の伸縮バケツ。
【発明の詳細な説明】
【技術分野】
【０００１】  この発明は、外体と内体の組み合わせにて、使用時に伸縮が可能となるバケツに関する。
【背景技術】
【０００２】  従来より、種々のバケツが多用されているが、それらは一体成形にて制作されたものであり、本発明にて示すように、２個の物体を組み合わせて使用し、その伸縮が可能なものは現在のところ見あたらない。
【発明の開示】
【発明が解決しようとする課題】
【０００３】  既述のように、従来のバケツは一体成型品であり、丸形や角形が主である。通常は持ち手が回動可能に設けられ、この持ち手を持って運搬する。水等の液体を入れて使用されることが多く、その量は用途により変化する。これらのバケツは一体型のため、不使用時の収納ではバケツに適合した収納スペースを必要とする。また、少量使用のときは、小サイズのバケツを別途用意することが望ましいが、大きなバケツに少量の水を入れて使用することも多く、より便利な手段が求められている。
本発明は、以上のような従来からのバケツに関わる課題を解決するために発明されたもので、２ピースタイプとすることで既述の課題をクリヤーすることのできる、新規かつ有用なる手段を提供することを目的としたものである。
【課題を解決するための手段】
【０００４】  課題を解決する手段として本発明は以下の構成とした。
すなわち、その上下部を開放するとともに上端から下端に向かって小径となる傾斜側面を有する筒状の外体を設け、一方、外体と同一傾斜側面を有する上部開放有底の内体を設けるとともに、内体の上端外径を外体の下端内径より大とし、以上の内体と外体の組み合わせる。本発明は以上の構成による伸縮バケツである。なお、外体および内体を中空角体として構成してもよい。
【発明の効果】
【０００５】  本発明によれば、外体内に内体を位置させるとともに、内体は外体内を移動可能であり、かつ外体と内体は同一傾斜側面を有するとともに、外体下部内径に対し内体上部外径は大なるために、水多量のときは外体と内体の双方を使用し、水少量のときは縮めて内体のみを使用することができ、かつ不使用時には縮めて保管収納することのできる。有用なる物品を提供することができる。
【発明を実施するための最良の形態】
【０００６】  以下、本発明の実施形態について説明する。
図において、１は外体で、適宜厚の合成樹脂製略円筒体であり、その上部は外方に湾曲して縁部となり、この縁部下方に有孔の持ち手支持部２が一体に成形される。
３は棒状半円形の持ち手であり、その端部は持ち手の孔に挿入して回動可能に支持される。この持ち手および持ち手支持構造は市販のバケツと同様である。
この外体の上下部は開放され、上部の大径部から下部の小径部に至る傾斜側面を有している。４は内体で、外体と近似外径の上部開放傾斜筒体で有底である。内体の上端外径は外体の下端内径よりやや大である。この内体は外体内に位置し、相互の位置関係は可変である。従って、図２と図３のごとく、その形状が変化する。
次に本発明の使用について説明する。
バケツ全体で使うときは、バケツにその容積の半分以上の水を入れ、持ち手を持って持ち上げると、水の重量にて内体は外体に沿って下方へ移動するが、外体下端内径より内体上端外径が大のため、図５のように外体内に内体が押圧保持されて水の漏洩が阻止され、一般のバケツと同様に使用することができる。
水を少量で使用するときは、図４のごとく内体内に水を適量入れて使用する。内体上縁から底までの距離が小のため、小サイズのバケツとして使用でき、バケツの中に手を入れやすくなる。不使用時は図２の状態にすることにて収納スペースを小とすることができる。なお、使用後のバケツを縮めるには、外体を上方から押圧することにより外体に対する内体の移動にて相互の押圧が解除されて縮めることができる。【０００７】  以上、本発明にてついて記したが、本発明はシンプルな構成にして伸縮可能なところにその特徴を有するものである。従来のバケツはこの伸縮機能を有さないため、コンパクトにして使用することができず、使用の利便性に欠けるものとなっていた。
しかるに本発明にて、種々の利便性のあるバケツを得るものとなったのである。
なお、前述の例では外体と内体ともに筒体にて形成したが、これに代えて中空角体を用いて構成してもよい。以上のように本発明は縮めて使用および収納ができ、とくに車に積み込んで運搬する場合などにこの特徴を発揮することができる。
以上のごとく、本発明によってより有用なるバケツを提供することができる。
【図面の簡単な説明】
【０００８】
【図１】  本発明の平面図
【図２】  本発明の正面図（縮めた状態）
【図３】  本発明の正面図（伸ばした状態）
【図４】  本発明の要部構造説明図（縮めた状態）
【図５】  本発明の要部構造説明図（伸ばした状態）
【符号の説明】
【０００９】  １  外体
２  持ち手支持部
３  持ち手
４  内体
【図１】
2010089832.tif 000003
【図２】
2010089832.tif 000004
【図３】
2010089832.tif 000005
【図４】
2010089832.tif 000006
【図５】
2010089832.tif 000007
(57)【要約】      （修正有）【課題】ペットボトル等のキャップ開閉を片手で簡単に行うことができ、しかも従来の回転方式による開閉機構も兼ね備えているキャップを提供する。【解決手段】従来のペットボトル等のキャップ側部の周囲に縦方向の切込（スリット）を複数個入れた構造にすることにより、外から加える力でキャップの開放操作が片手でワンタッチ方式で出来るようになる。また、従来のペットボトル等の容器開閉に際して行う回転方式によるキャップの開放操作でも可能である。【選択図】図２
2010089833.tif 000002
【特許請求の範囲】
【請求項１】
各種容器のねじ込み式キャップに関し、キャップ側部に縦方向の切込（スリット）を複数個入れたキャップである。
【発明の詳細な説明】
【発明の詳細な説明】
【産業上の利用分野】
【０００１】この発明は、ペットボトル等のキャップ等を片手で簡単に開閉する場合に使用されるキャップである。
【背景技術】
【０００２】従来のペットボトル等の容器開閉は、キャップの回転方式によるものである。
【発明が解決しようとする課題】
【０００３】上記機構において、片手のみでの開閉に当たっては不便が生じていた。
【課題を解決するための手段】
【０００４】  前記不便解決するため、キャップ側部の周囲に縦方向の切込（スリット）を複数入れたキャップを考えた。
【作用】
【０００５】上述した構成からなる本発明の容器用キャップは、従来の回転方式に加えワンタッチ方式での開閉機構が付加されることになる。
【実施例】
【０００６】この考案の実施例について図面を参照して説明する。【０００７】図１は本考案の実施例を正面図である。【０００８】図２は本考案で付加された開閉機構での開を示す。【０００９】図３は本考案で付加された開閉機構での閉を示す。
【図面の簡単な説明】
【００１０】
【図１】容器用キャップの実施例
【図２】容器用キャップの構造図
【符号の説明】
１  キャップ天部
２  キャップ側部
３  切込（スリット）
４  開での加力方向
５  閉での加力方向
【図１】
2010089833.tif 000003
【図２】
2010089833.tif 000004
【図３】
2010089833.tif 000005
【手続補正書】
【提出日】平成20年11月21日(2008.11.21)
【手続補正１】
【補正対象書類名】明細書
【補正対象項目名】００１０
【補正方法】変更
【補正の内容】
【００１０】
【図１】  容器用キャップの実施例
【図２】  容器用キャップの構造図
【図３】  容器用キャップの構造図
【符号の説明】
１  キャップ天部
２  キャップ側部
３  切込（スリット）
４  開での加力方向
５  閉での加力方向
(57)【要約】【課題】主に植木鉢やプランターなどの花の植替え時、一般的に土も新しいものへ入替える。それに伴い使用済土の再利用、又は処分するための始末として、底石と土の分別が必要となるが、ひっくり返した使用済土は、大粒又は小粒の多くの底石が土の中に混じった状態であるため、底石を手で拾うのは大変な手間であり、又道具を利用する場合も従来のものでは使用範囲が限られる。本発明は、園芸用土の中の大、小の底石と土を手早く分別するふるい具を提供する。【解決手段】中央の仕切壁を境に、一方の面に網目の大きい土受部を、もう一方の面に網目の小さい土受部を設ける。各々の土受部は土をすくうために前方を空け、両側に壁を立てる。この両側壁の上縁から各々二本中央斜め上部向に取手用腕を伸ばし、全体の中央上部で取手に固定する。【選択図】図１
2010089066.tif 000002
【特許請求の範囲】
【請求項１】
中央の仕切壁を境に、一方の面を網目の大きい土受部とし、もう一方の面を網目の小さい土受部とし、各々の土受部は前方を空けて両側に壁を立て、その両壁の上縁から各々中央斜め上部向に取手用腕を伸ばし、全体の中央上部で取手に固定した園芸用土の二面ふるい具。
【発明の詳細な説明】
【技術分野】
【０００１】  本発明は、主に植木鉢やプランターなどの土の入替え時、使用済土の中の底石と土の分別に使用する園芸用土の二面ふるい具に関するものである。
【背景技術】
【０００２】  植木鉢やプランターなどの花の植替え時、一般的に土も新しいものに入替えるが、これに伴い使用済土の再利用、又は処分するための始末として、底部へ入っている底石と土の分別が必要となる。
従来この方法として、ひっくり返した使用済土の中から底石を手で拾うか、底の網目が適当なザルなどを代用して分けるか、又は底の金網面を大き目、中目、小さ目と各々入替える方式の丸型ふるいを使用していた。
なお、底石は排水性と通気性確保等のため、植木鉢やプランターなどの底へ適量敷くものであり、花の種類等により大粒、小粒を使い分ける。
【発明の開示】
【発明が解決しようとする課題】
【０００３】  植木鉢やプランターなどの土の入替え時、ひっくり返した使用済の土から底石を手で拾うのは、底部中心に大粒、又は小粒の多数の底石が土の中に混じった状態であるため大変な手間である。
底が網目のザルなどの代用品を利用する場合は、網目の大きさ、容器の大きさなどから使用範囲が限られ、これだけで大粒、小粒両方の底石と土の分別は不可能である。
底の金網面を大き目、中目、小さ目と入替える方式の丸型ふるいは、本来の使用目的が園芸用土を自ら作る時の土粒の選別であり、全体に網目も小さく、大粒の底石と土の分別は不可能である。又これらの用具では作業性も劣る。
これら手間の掛かる底石と土の分別作業が敬遠され、未だ使えそうな使用済の土が底石も含めて、そのまま廃棄されることもある。
本発明は、以上の問題点を解決するためになされたものである。
【課題を解決するための手段】
【０００４】  中央の仕切壁を境に、一方の面に大きい網目の土受部を、もう一方の面に小さい網目の土受部を設ける。各々の土受部は前方を空けて両側に壁を立てる。この両側壁の上縁から各々二本中央斜め上部向に取手用腕を伸ばし、全体の中央上部で取手に固定する。
以上の構成によりなる園芸用土の二面ふるい具。
【発明の効果】
【０００５】  従来、手間の掛かっていた植木鉢やプランター等の使用済土の中の底石と土の分別作業が、大粒、小粒別に手軽に手早くできる。これで使用済の底石と土の再利用も進む。
又、本発明は畑の土等を利用して園芸用土を作る際の土等の粒の選別にも活用できる他、庭のゴミの大きさにより、掃き掃除用の塵取りとしても使用できる。
【発明を実施するための最良の形態】
【０００６】  以下、本発明の実施の形態を説明する。
（イ）中央の仕切壁（１）を境に、一方の面に網目の大きい土受部（２）を、もう一方の面に網目の小さい土受部（３）を設ける。なお、各々の土受部（２）（３）の網目の大きさは、市販されている底石の粒の大きさを考慮する。
（ロ）各々の土受部（２）（３）は、土をすくうために前方を空け、両側に上縁がアール形状で、中央部の高さが仕切壁（１）の高さに合わせた側壁（４）を立てる。
（ハ）両側壁（４）の上縁（５）から各々二本中央斜め上部向に取手用腕（６）を伸ばす。
（ニ）取手用腕（６）は、全体の中央上部で取手（７）の両側へ各々固定する。
本発明は以上のような構造である。
本発明を使用し大粒の底石と土を分別するときは、網目の大きい土受部（２）を前に向けて取手（６）を持ち、植木鉢やプランター等から出た底石混じりの使用済の土を適量すくい上げ、左右に数回ふるう。
大粒の底石は網目の大きい土受部（２）へ残り、その網目より小さい粒の底石と土は網目を通して下へ落ちる。
小粒の底石を分別するときは、網目の小さい土受部（３）を前に向けて取手（６）を持ち、上記と同様の作業を行う。
【図面の簡単な説明】
【０００７】
【図１】本発明の斜視図
【符号の説明】
【０００８】  （１）仕切壁、（２）網目の大きい土受部、（３）網目の小さい土受部、（４）側壁、（５）上縁、（６）取手用腕、（７）取手
【図１】
2010089066.tif 000003
(57)【要約】【課題】一作業にて簡便に篩い作業のできる用具を提供する。【解決手段】柄を有するとともにその中央部に切除部を設けた湾曲板状の主体を設け、該主体下面に金網を設けたことを特徴とする。【選択図】図３
2010089062.tif 000002
【特許請求の範囲】
【請求項１】
柄を有するとともにその中央部に切除部を設けた湾曲板状の主体を設け、該主体下面に金網を設けたことを特徴とするスコップ型篩い器。
【請求項２】
金網を、主体下面を覆うとともに主体側方に張り出すサイズとしてなる請求項１記載のスコップ型篩い器。
【請求項３】
金網を主体側方に上向き傾斜を持って形成してなる請求項２記載のスコップ型篩い器。
【発明の詳細な説明】
【技術分野】
【０００１】  この発明は、スコップ型の篩い器に関する。
【背景技術】
【０００２】  従来より、篩い器が使われているが、本発明に示すようなスコップ型のものは現在のところ見あたらない。
【発明の開示】
【発明が解決しようとする課題】
【０００３】  従来の篩い器は木材等で枠を作り、この枠の底部に細かいメッシュの金網を張設して形成されている。使用時は、分別しようとするものをこの枠内に入れ、二人で枠の両端を各々持って前後に揺すると、このメッシュより小さいものは落下し、大きいものは金網上に残るので、これを捨てることにて選別できる。すなわち、枠内に入れる作業と枠を揺する作業の双方が必要で、より簡便に使用できる篩い用具が求められている。
本発明は、以上のような従来からの篩い器に関わる課題を解決するために発明されたもので、一人で簡便に篩い作業をワンステップで行うことのできる、新規かつ有用なる用具を提供することを目的としたものである。
【課題を解決するための手段】
【０００４】  課題を解決する手段として本発明は以下の構成とした。
すなわち、柄を有するとともにその中央部に切除部を設けた湾曲板状の主体を設け、該主体下面に金網を設ける。本発明は以上の構成よりなるスコップ型篩い器である。
なお、金網を、主体下面を覆うとともに主体側方に張り出すサイズとしてもよく、また、金網を主体側方に上向き傾斜を持って形成してもよい。
【発明の効果】
【０００５】  本発明によれば、主体で選別しようとするものをすくい上げ、これを上下左右に揺することにより選別することができ、従来のように二つの作業が必要でないので、より簡便に能率よく選別することのできる有用なる物品を得ることができる。また、金網を傾斜を持って主体側方に張り出すように設けることにて、より効率的に作業を行うことができる。
【発明を実施するための最良の形態】
【０００６】  以下、本発明の実施形態について説明する。
図において、１は主体で、市販のスコップと同様物品であり、その中央部は略台形状に切除された切除部２を有している。この主体に金属管体による主柄３が取り付けられる。
４は主柄と同様材質の前部副柄で、そのほぼ中央は略直角に折曲され、両端は押圧にて平板状に形成され、主柄の前部上面に固着立設される。５は後部副柄で、鋭角に折曲された金属管体であり、その一端は主柄の中間位置側面に固着され、他方は主柄端に固着されて、鋭角部は主柄側方に張り出している。６は補強体で、適宜長の金属管体であり、その一端は押圧にて平板状に形成されるとともに主体の前端近傍中央上面に固着され、他端は主柄端に近接して主体下面に固着される。７は前部金網で、主体より幅広の金網両端部を鈍角に折曲して形成され、この両端が主体側方に斜方に突出するように、主体下面に固着される。８は後部金網で、前部金網と同幅の湾曲部材であり、前部金網に対し上向きの傾斜を持つとともに主体側方に傾斜を持って張り出すように前部金網端および主柄下面に固着される。以上が、本発明の一実施形態である。【０００７】  本発明を使用するには、まず主柄を手に持ち、ふるいにかけようとする材料を適量すくい取る。次にこれを前後上下左右に揺する。この作業にて金網のメッシュより小さいものは切除部および金網の側方上面より落下し、大きなものは金網上に残るので選別を行うことができる。この篩い作業時において、前部副柄および後部副柄を用いることにて作業が効率化される。例えば、一方の手で前部副柄を持ち、他法の手は後部副柄を持つことにて、前部副柄の握持個所を支点として重心はそれより下方位置となり、後部副柄の握持個所を力点とし、金網部分および主体が作用点となり、主柄後方の動きにて材料を載せている主体と金網を上下左右に揺することが容易となる。また、後部副柄の端部を握って上下させると主体等は左右にローリングする。
主体に対して金網は側方斜方に張りだしているので、この揺する作業による材料の不意落下を防止することができる。なお、後部副柄の一部は鋭角に折曲され、その端部は主柄の側方に固着しているので、主柄に対する後部副柄は安定固着され、本品収納時の吊り下げにも対応できる。【０００８】  以上、本発明について記したが、本発明は柄を有するスコップ状物品に切除部を設け、かつその下面および側方に金網を設けたところにその特徴を有するものである。
既述のように、従来法では篩い器に材料を投入する作業と、挿入された材料を篩う作業の二工程が必要であったが、本発明では材料をすくってそのまま篩うことにてより能率よく作業できるものとなったのである。なお、既述のごとく各パーツ部品を固着方式とせずに、ビス止めやボルトナット止めあるいはリベット止めなど他手段を適宜に用いて構成してもよい。既述の例は実施の一例であり、近似の他の構成としてもよい。
以上のごとく、本発明によってより能率的に篩い作業を行うことのできる、有用なる物品を提供することができる。
【図面の簡単な説明】
【０００９】
【図１】  本発明の平面図
【図２】  本発明の正面図
【図３】  本発明の拡大斜視図
【符号の説明】
【００１０】  １  主体
２  切除部
３  主柄
４  前部副柄
５  後部副柄
６  補強体
７  前部金網
８  後部金網
【図１】
2010089062.tif 000003
【図２】
2010089062.tif 000004
【図３】
2010089062.tif 000005
(57)【要約】      （修正有）【課題】流入管から浄化槽内の第１室に汚水と共にスカムや固形汚物が注入る。第２室・ばつ気槽と流入され、長い月日にはかなりの量で、大き目の固形汚物も流入されている。この固形汚物は分解し難く、ろ材の間や流量調整などの器機に詰ったりしていた。これらを解決する浄化槽用固形物分離排水口を提供する。【解決手段】浄化槽内に入った固形汚物は浮沈みしていて、第２室・ばつ気槽と流入される。浄化槽内の仕切り板面１にある汚水流入口３は通常より小さくしていて半円状の窪み５の奥にある為に、固形汚物は吸い込まれる量も少なくて通常より小さい固形汚物が流入されるので、ろ材の間や流量調整などの器機に詰ったりしにくくなる。また半円状の窪み５に引っ掛った固形汚物は半円状の窪み５は斜面になっているから滑って外に出すようにした。【選択図】図２
2010089068.tif 000002
【特許請求の範囲】
【請求項１】
浄化槽内の（第１室）・（第２室）間（第２室）・（ばつ気槽）間の仕切り壁に、半円状の窪み５を［図３］の方向に作る。仕切り壁に対して窪み部分は、上側は下向き勾配になり下側は上向き勾配になることを特徴とする浄化槽用固形物分離排水口。
【請求項２】
［図２］のように、半円状の窪み５の表面の奥に汚水流入口３を開ける。また汚水流入口３は通常より少し小さくしたものを、数箇所に開けることを特徴とする浄化槽用固形物分離排水口。
【発明の詳細な説明】
【技術分野】
【０００１】  本発明は、流入管から浄化槽（第１室）に入る汚水と共に固形汚物は、（第２室）・（ばつ気槽）と流入される再に固形汚物の流入量を減らして、主に汚水と小さ目の固形汚物を流入させるように改良したものです。
【背景技術】
【０００２】  従来は、流入管から（第１室）に入った固形汚物は（第２室）・（ばつ気槽）と流入され、長い月日には汚水と共に固形汚物も多く流入されている。
【発明の開示】
【発明が解決しようとする課題】
【０００３】  浄化槽から流入される汚水や固形汚物は、（第１室）に入り（第２室）・（ばつ気槽）と流入される再に、汚水と共に固形汚物も多く流入され固形汚物は分解し難く、ろ材や流量調整などの間に詰ったりしていた。これらを解決することを課題とする。
【問題を解決するための手段】
【０００４】  請求項１の発明は、浄化槽内の仕切り壁に、半円状の窪み５を［図３］の方向に作る。浄化槽内で浮沈みしている固形汚物は、汚水と共に汚水流入口３に流入される。汚水流入口３は半円状の窪み５の奥にある為、固形汚物は半円状の窪み５の傾斜斜面に当たり、滑って外れ出されて固形汚物の吸い込み量を減少させる。
【０００５】  請求項２の発明は、［図２］のように、半円状の窪み５の奥に汚水流入口３を数箇所に開ける。汚水流入口３は通常口より小さくしているため半円状の窪み５の窪み幅が狭くなり、半円状の窪み５からその奥にある汚水流入口３まで固形汚物は渡しにくくなる。汚水流入口３より大きい固形汚物が引っ掛って詰ることがあるが、半円状の窪み５の斜面は傾斜になっているために滑って外れ出すようにしているが、一時的に汚水流入口３が詰ったときは数箇所ある他の汚水流入口３から流入することができる。
【発明の効果】
【０００６】  浄化槽内（第１室）に入ってくる固形汚物は浮沈みしながら（第２室）や（ばつ気槽）の汚水流入口３の方に流入される。通常の固形汚物の流入量を減らすことができ、また通常口より小さ目の汚水流入口３を通す固形汚物は小さめのもので、大き目の固形汚物は半円状の窪み５に引っ掛っても傾斜のある斜面を滑って外れ出すようにした。
【発明を実施するための最良の形態】
【０００７】  浄化槽内の仕切り板面１に半円状の窪み５を［図３］の方向に附けて［図２］のように、半円状の窪み５の奥に汚水流入口３を数箇所に開ける。浄化槽内で浮沈みしている固形汚物は、汚水流入口３に吸入される再に、仕切り板面１の少し奥に汚水流入口３がある為に、固形汚物は流入しにくく流入量も減少される。その中でも吸い込まれる固形汚物について、通常口より小さ目の汚水流入口３にしてあるから、通る固形汚物も小さ目のものを流入させるようにした。大き目の固形汚物は半円状の窪み５の斜面に引っ掛っても傾斜のある斜面を滑って外れるようにした。
【産業上の利用可能性】
【０００８】  本発明に係る浄化槽用固形物分離排水口は、工業的に量産する事が可能であるため、産業上の利用可能性を有する。
【図面の簡単な説明】
【０００９】
【図１】  浄化槽内の仕切り板断面図
【図２】  仕切り板と浄化槽用固形物分離排水口を表す斜視図
【図３】  浄化槽内の仕切り板に浄化槽用固形物分離排水口を附けた断面図
【符号の説明】
【００１０】１  浄化槽内の仕切り板面
２  浄化槽内の仕切り板断面
３  汚水流入口
４  汚水流入口を表す点線
５  半円状の窪み
６  流入管
７  放流管
【図１】
2010089068.tif 000003
【図２】
2010089068.tif 000004
【図３】
2010089068.tif 000005
(57)【要約】【課題】プリントクラブ（以後、プリクラ）にて製作されたプリント用紙を、ユーザーがその場で切り分ける際に、切りたい場所にてハサミを使用し切断するため、綺麗な直線にて切り分けることができない。このため、その場にて直線的に切断できる手段を提供する。【解決手段】プリクラにて製作されたプリント用紙を、ユーザーが楽しみながら、綺麗な直線に切り分けるために、用紙を左右固定し、手動回転をローラー軸へ伝えることにより、ローラーを回転させプリント用紙を引き込み、これにより回転刃による直線的な切断を行う。また、切断されたプリント用紙が落下しないように、落下防止部を設ける。【選択図】図１
2010089260.tif 000002
【特許請求の範囲】
【請求項１】
プリクラにて製作されたプリント用紙を、可動式用紙固定部にて左右を固定し、引込口にセット後、切断位置可動部を動かすことで指定する。ハンドルレバーを回転させ、プリント用紙を引き込み、内部の回転刃で直線的に切断排出され、用紙排出受けポケットにて、切断されたプリント用紙を受ける機能を備える。これらの機能を特徴とする装置。
【請求項２】
手動によりレバーを回転させ、歯車を使用し、引込ローラー，排出ローラー，回転刃を一定方向に回転させることによるプリント用紙の引込，切断，排出機能。
【請求項３】
回転刃を切断位置可動部にて左右固定し、刃先がぶれないようにし、切断位置可動部にベアリングによる回転部を使用することで、軸回転及び左右可動に対応する形状。
【発明の詳細な説明】
【技術分野】
【０００１】  本発明は、プリントクラブ（登録商標）（以後、プリクラ）にて製作されたプリント用紙を綺麗な直線で切断するための装置に関するものである。
【背景技術】
【０００２】  近年、プリクラは機能が充実し、様々なプリントを行えるようになった。しかし、プリクラにて製作されたプリント用紙を、その場で切り分ける際、備え付けのハサミやユーザーが持参したハサミを使用している。この切り分ける際に、直線的に切れずに不快な思いをするユーザーが少なくない。
【発明の概要】
【発明が解決しようとする課題】
【０００３】  その場で切り分ける手段が、ハサミ若しくはカッターしかない。【０００４】  プリクラに備え付けられている切断用の道具としては、その殆どがハサミであり、備え付けがない場所では、ユーザーが持参したハサミを使うことが主である。【０００５】  このハサミではプリント用紙を綺麗な直線での切断は難しく、カッターでは直線定規を使用することでしか、直線的に切断できないという問題があり、更に下地を傷つける可能性があるという課題がある。
【課題を解決するための手段】
【０００６】  本発明は、これらの課題を解決するため、プリント用紙の左右を固定した状態にて、切断位置を決定し、手動により回転レバーを回転させるだけで、切断したい位置での直線的な切断を可能とした。
【発明の効果】
【０００７】  容易に、且つ、早急に、直線的な切断を行うことが可能となり、手動による回転レバーを用いることで、ユーザーに楽しませる効果も生まれる。
また、この装置をプリクラに備え付けることで、ユーザーの占有時間の短縮に効果がある。
【図面の簡単な説明】
【０００８】
【図１】本発明の装置全体外形図
【図２】図１に示された装置内におけるローラー等の機構部構成図
【図３】図１に示された装置内における歯車部構成図
【図４】図１に示された装置における回転刃可動位置指示機構部の構成図
【発明を実施するための形態】
【０００９】  以下は、図面を参照し、本発明を詳細説明する。
図１は、本発明のプリント用紙切断装置の外形図である。
１は装置土台部であり、２の可動式用紙固定部を３の可動範囲内で動かすことにより、用紙の幅に合わせて固定する機能を持たせる。
２２を左右に動かし、２１にて切断する位置を決定できる機能を持たせる。
２３のレバーを使用し、２４を回転させることで、これに連動したローラーがプリント用紙を装置内部に引き込み、内部の回転刃を使用して直線的に切断される。内部にて切断されたプリント用紙は、排出用のローラーを使用し排出され、４のポケットを用意することで、脱落せずに、ユーザーから取り出しやすくする形状としている。
【００１０】  図２は、本発明の内部ローラー部及び切断部を表す機構図である。
図３は、本発明の回転伝達用歯車部を表す機構図である。
１１の軸には、１２の引込ローラー、１３の回転刃、１９のベアリング、１４の排出ローラーがそれぞれに取り付けられ、２４の回転に連動する１５の歯車が、１８の連動用歯車を回転させることで、１６の引込ローラー軸用歯車、１７の回転刃軸用歯車、１９の排出ローラー用歯車を回転させ、プリント用紙を引き込み切断し排出する一連の動作を行う。
また、１３の回転刃の切断を容易にし、左右移動時の接触を防止するため、３１の凹みを設ける。
【００１１】  図４は、本発明の回転刃を可動させ、切断位置の指示部を表す機構部である。
ユーザーが２２の可動部を左右に動かすことで、２１にて切断位置をユーザーへ示す。１１の軸を左右に動くため、１３の回転刃は２２にて固定されブレが起きないようにし、１９のベアリングを使用した回転部を使用することで、軸回転及び左右可動に対応する形状としている。
【００１２】  なお、本発明は、プリクラのプリント用紙と同じ形状であり、用紙固定部の可動範囲内であれば、他の用紙の切断が可能である。
【符号の説明】  １：装置土台部
２：可動式用紙固定部
３：可動範囲部
４：用紙排出受けポケット
１１：軸
１２：引込ローラー
１３：回転刃
１４：排出ローラー
１５：手動回転部連動歯車
１６：引込ローラー軸用歯車
１７：回転刃軸用歯車
１８：連動用歯車
１９：排出ローラー用歯車
２１：切断位置指示部
２２：切断位置可動部
２３：手動回転用レバー
２４：外部回転部
３１：回転刃接触防止凹み
【図１】
2010089260.tif 000003
【図２】
2010089260.tif 000004
【図３】
2010089260.tif 000005
【図４】
2010089260.tif 000006
(57)【要約】【課題】  電動ドライバーの先端部をビスに押さえつけるだけで、自動に起動回転する手段を設ける。【解決手段】  ビスにスピンドル１０先端部のビット１２を押し付けると、これに連動してモーター２後部に備えられたバネ５が伸縮し、モーター２後部の鉄心保護キャップ６で押しボタンスイッチ４が押し込まれ、モーター２に電気が流れ起動回転する構造とした。【選択図】図１
2010089245.tif 000002
【特許請求の範囲】
【請求項１】
ビスにスピンドル１０先端部のビット１２を押し付けると、これに連動してモーター２後部に備えられたバネ５が伸縮し、モーター２後部の鉄心保護キャップ６で押しボタンスイッチ４が押し込まれ、モーター２に電気が流れ起動回転する電動ドライバー。
【請求項２】
スピンドル１０とモーター軸心１３を歯車１５で組み合わせ、スピンドル１０の後部にスピンドル軸受けキャップ１４を設け、ビスにスピンドル１０先端部のビット１２を押し付けると、バネ５が縮み、押しボタンスイッチ４がスピンドル軸受けキャップ１４で押し込まれ、モーター２に電気が流れ起動回転する電動ドライバー。
【発明の詳細な説明】
【技術分野】
【０００１】  本発明品は電動ドライバーに関するものである。
【背景技術】
【０００２】  従来式の電動ドライバーはビス等を止める際スイッチを手動で入力する必要がある。この例として、特許文献１に開示されているものがある。
【特許文献１】特開平７−６０６５３
【発明の開示】
【発明が解決しようとする課題】
【０００３】  電動ドライバーの先端部をビスに押さえつけるだけで、自動に起動回転する手段を設ける
【課題を解決する為の手段】
【０００４】  ビスにスピンドル１０先端部のビット１２を押し付けると、これに連動してモーター２後部に備えられたバネ５が伸縮し、モーター２後部の鉄心保護キャップ６で押しボタンスイッチ４が押し込まれ、モーター２に電気が流れ起動回転する構造とした。
【発明の効果】
【０００５】  以上にすることでビスにスピンドル１０先端部のビット１２を押し込むだけで、モーター２はバネ５を押さえつけ、モーター２後部にある鉄心保護キャップ６で、押しボタンスイッチ４を押し込むため、モーター２に電気が流れ回転し、簡単にビスを締め付けることができる。
【０００６】  またビスからスピンドル１０先端部のビット１２を放すとモーター２後部のバネ５が反発し、モーター２の鉄心保護キャップ６は押しボタンスイッチ４から離れ、モーター２の電気は遮断されるため回転は自動で止まる。
【０００７】  図２はスピンドル１０の後部に直接押しボタンスイッチ４を設けた図である。スピンドル１０とモーター軸心１３を歯車１５で組み合わせ、スピンドル１０の後部にスピンドル軸受けキャップ１４を設け、スピンドル１０を押し込んだ時に、バネ５が縮み、押しボタンスイッチ４がスピンドル軸受けキャップ１４で押される事でモーター２に電気が流れ、起動回転する事ができる。
【発明を実地する為の最良の形態】
【０００８】  ビット１２は磁気を帯びており、ビット１２にビスを吸着固定することができる。ビスを吸着した状態でビス穴に差込み、ノッキング電動ドライバー１を垂直に押し込むとモーター２はバネ５を押さえつけ、モーター２後部にある鉄心保護キャップ６で、押しボタンスイッチ４を押し込むため、モーター２に電気が流れ回転し、ビス止めをすることができる。
【０００９】  またビスを抜く場合には正逆回転切り換えスイッチ８を逆回転に切り換え、ビスにノッキング電動ドライバー１のビット１２を差込み、垂直に押し込めば逆回転し抜く事ができる。
【産業上の利用可能性】
【００１０】  スピンドル１０の先端部のビット受け１１をチャック式にすることで穴あけ用ドリルなどに応用できる。
【図面の簡単な説明】
【００１１】
【図１】  モーター後部に押しボタンスイッチを設けたノッキング電動ドライバーを示した内部図である。
【図２】  スピンドル後部に押しボタンスイッチを設けたノッキング電動ドライバーを示した内部図である。
【符号の説明】
【００１２】１ノッキング電動ドライバー
２モーター
３モーターファン
４押しボタンスイッチ
５バネ
６鉄心保護キャップ
７電源スイッチ
８正逆回転切り換えスイッチ
９電池
１０スピンドル
１１ビット受け
１２ビット
１３モーター軸心
１４スピンドル軸受けキャップ
１５歯車
【図１】
2010089245.tif 000003
【図２】
2010089245.tif 000004
(57)【要約】      （修正有）【課題】既販冶具による広幅透明テープは切断時に斜裂断と巻戻り現象があり、再使用時，端末の確認と確保が難しく、テープカッターの互換性に掛ける欠点がある。【解決手段】駆動輪等で巻戻り等の欠陥を排除し、カッター冶具の多能化を計った。基枠１には、２分割された大径保持枠２，小径保持枠３と受枠５を取付け、小径保持枠にはガイドピン４と切欠きを備え、凹型溝付駆動輪６は回動自在で、切断歯部７と端末押え部８は受枠５の磁石でそれぞれ保持される。端末押え部８は角軸把手９の回動で落下スライドし駆動輪６の凹型溝間でテープ端末を捕捉し、斜裂破断と巻戻りの防止及び再使用時の欠点を防止した。テープ切断時の端末確保，無張力化と大小径テープと異幅テープの併用を可能とする多能化と省資源、省力、効率，安全なテープカッターを提供する。【選択図】図１
2010089963.tif 000002
【特許請求の範囲】
【請求項１】
基枠１に回動自在に外装された凹型溝付駆動輪６と切断歯部７及び端末押え８とで構成し、テープ切断時の裂断巻戻りを防止する方式を特徴とするテープカッター。
【請求項２】
請求項１に付帯し、基枠１に大径テープ巻芯の内縁軌跡に沿って、大経テープの巻き芯の１／２相当の保持枠２を内縁後部に、同前部に小径テープ巻芯相当の保持枠３を組合わせ、異径テープの併用を特徴とするテープカッター。
【請求項３】
請求項１，２に付帯し保持枠３にガイドピン４を付設し、基枠１側より既販テープの種類に相当する個所に切欠孔を複数個設け、異幅テープの併用を特徴とするテープカッター。
【請求項４】
請求項１，２，３に付帯し、切断歯部７の歯形は、テープ幅に比例し歯高を７〜３ｍｍ差とし、歯形は枝切刃型で端部より局部移行切断を特徴とするテープカッター。
【請求項５】
請求項１，２，３，４に付帯し、端末押え部８と連動する角軸把手９により直立時のみスライドしテープの端末保持と本体（端末押え部８）の確保を特徴とするテープカッター。
【発明の詳細な説明】
【技術分野】
【０００１】  本発明は、事業場又は一般家庭に於ける梱包、張合せ作業時の省資源、省力に関する。
【技術背景】
【０００２】
【特許文献１】  特開  ２００６−１６０５１５
【特許文献２】  特開平  ９−２６７９６５
【発明の開示】
【発明が解決しようとする課題】
【０００３】  既販冶具による広幅透明テープの使用に際し、冬季では切断時の張力及び収縮作用で斜裂断しテープ本体に巻戻る欠点がある。この為に再使用時には切断面の見極めと端末引出しに多くの時間と労力を要し、テープの無駄も多きい。更に既販冶具は単一テープ（径、幅）の専用品である。
【課題解決する為の手段】
【０００４】  透明テープの欠点に対応し、使用方法と既販冶具の機能を解明し、テープ端末の切断対策の他に、異種テープ（径、幅）にも対応する多機能型テープカッターを開発した。
【発明の効果】
【０００５】  本発明は、透明テープの欠点とされる端末の斜裂断と巻戻り現象等の改良と、テープ幅及び巻芯径等の異種テープの使用も可能とする、多機能な冶具を開発し一般家庭及び商工業全般での梱包、張合せ作業が安価、安全、省力、省資源で提供できる。
【実施例】
【０００６】  図１は本発明の実施例に就いて説明する。【０００７】［構成］、基枠１、大径保持枠２、小径保持枠３、ガイドピン４、受枠５、駆動輪６、切断歯部７、端末押え部８、角軸把手９、支点１０及び把手１１である。【０００８】［部品の特性］基枠１は、原則はＬ型で前部のみコ型に成型する。大径保持枠２は大径テープの紙管の内径以下で、１／２に分割して使用する。小径保持枠３も同径で分割せず基枠１側から１１、１６、２１、５２ミリメートルの各点に切り込みを入れ，ガイドピン４を挿入して各種のテープをガイドする。  受枠５は下辺の２箇所に磁石を取付けて切断歯部７と端末押え部８を保持する。駆動輪６は外周に凹型の片材を複数個、均等に接着（含一体成型）し基枠１のコ型部に回動自在に取付ける。
切断歯部７は広幅から狭幅側に５〜３ｍｍ程度の歯高差の比例歯で、歯形も枝切刃形とし中抜き支板を介して後述する支点１０で回動する。端末押え部８は並行する２枚の支板の先端に金属パイプ製のテープ押えを備え、角軸把手９と支点１０で回動し支板が直立する際に角軸に沿って下降スライドし、金属パイプと駆動輪６の凹部間でテープ端末の確保をする。切断歯部７と端末押え部８は何れも受枠５の磁石でそれぞれ仮保持される。
把手１１は受枠５に連結し延伸時に用いる。【０００９】［梱包作業］
梱包作業は原則として図１のＡ面側から始める。
使用するテープの径により、保持枠２と３を組合わせるか、個別に選択、挿入しテープ端末を延伸し梱包物上に駆動輪６で押圧し余長は梱包物の側面に貼付する。次いで把手１１で本体を牽引し梱包物の他端で停止し、駆動輪６を支点として図１のＢ面側に転動する。
端末押さえ部８の角軸把手９を支点１０を介して下方に回動し、角軸把手９の作用で支板が落下スライドし、駆動輪６の凹型溝上に金属パイプ部がテープを押圧する。次いで切断歯部７を支点１０を介して回動し、さきの端末押え部８の金属パイプの押圧点より約９０度前部で、テープ張力と凹型溝の位置での挿入切断位置を調整後カットし余長は梱包物に貼付する。尚、端末押え部８の金属パイプ部がテープ端末を保持しており、切断歯部７を回動し受枠５の磁石で保持する。再利用の場合は、金属パイプ部からテープを引外し延伸後、受枠５の磁石に預託し再作業を実施すう。
既販冶具の張力破断方式と異なる無張力斜切断方式の為、簡単、安易に使用でき、市販テープの総てに対応出来る多機能型のテープカッターが提供出来る。
各種の梱包作業又は単純なカットテープの使用等、用途によってＡ，Ｂ面を選択できる。
【図面の簡単な説明】
【００１０】
【図１】側面図
【符号の説明】
【００１１】  １、  基枠                      ２、  保持枠（大径）
３、  保持枠（小径）            ４、  ガイドピン
５、  受枠                      ６、  駆動輪
７、  切断歯部                  ８、  端末押え部
９、  角軸把手                １０、  支点
１１、  把手
【図１】
2010089963.tif 000003
(57)【要約】【課題】手で崩れそうな積み荷を押さえていたので、一箇所しか押さえことができず、物を落とすことがあった。また、従来の物はベルトので似たような形・大きさの物を固定することができるが、バラバラの大きさの物には適さない。なお、安易に本体を取り外しはできない。本発明は、以上の問題点を解決するためになされたものである。【手段】台車の先端部分に取り付けるため、上部・前面部・下部・側面部を包み込むようになっている。前面部には、収納袋が設けられ、袋の内部の上部に荷崩れ防止用ネットが設けられている。側面はバンドのような物で１部分がゴムでできていて、包み込む強さを大きくしている。固定するために面ファスナーが使われている。本発明は、以上の構成によりなる荷崩れ防止ネットである。【選択図】図１
2010089767.tif 000002
【特許請求の範囲】
【請求項１】
手で崩れそうな積み荷を押さえていたので、一箇所しか押さえることができず、物を落とすことがあった。また、従来の物はベルトなので似たような形・大きさの物を固定することができるが、バラバラの大きさの物には適さない。なお、安易に本体を取り外しはできない。
本発明は、以上の問題点を解決するためになされたものである。
【発明の詳細な説明】
【技術分野】
【０００１】  本発明は、手押しの台車の先端部分に、収納式のネットを取り付け、積み荷が崩れないようにしたものである。
【背景技術】
【０００２】  従来、台車で積み荷をして運搬するとき、段のある道で落ちそうになり、手などで押さえていた。
なお、手押し台車の底面にドラム式の荷掛けベルトを装備、ベルトを積み荷に掛け運搬する手押し台車が知られている。
【特許文献１】特開２００３−１８２５８５号公報
【発明の開示】
【発明が解決しようとする課題】
【０００３】  手で崩れそうな積み荷を押さえていたので、一箇所しか押さえることができず、物を落とすことがあった。また、従来の物はベルトなので似たような形・大きさの物を固定することができるが、バラバラの大きさの物には適さない。なお、安易に本体を取り外しはできない。
本発明は、以上の問題点を解決するためになされたものである。
【課題を解決するための手段】
【０００４】  台車の先端部分に取り付けるため、上部・前面部・下部・側面部を包み込むようになっている。前面部には、収納袋が設けられ、袋の内部の上部に荷崩れ防止用ネットが設けられている。側面はバンドのような物で１部分がゴムでできていて、包み込む強さを大きくしている。固定するために面ファスナーが使われている。
本発明は、以上の構成によりなる荷崩れ防止ネットである。
【発明の効果】
【０００５】  積み荷をネットで押さえる事で、荷くずれや落下を防止する事ができる。また使用しない時は、前面に設けられている袋に収納できる。そのため、取り外すことなく普通の台車として使用できる。
【発明を実施するための最良の形態】
【０００６】以下、本発明の実施の形態を説明する。
（イ）上部面部材（４）の両側に面ファスナー付きバンド（５）を設ける。
（ロ）上部面材（４）の前面に収納袋（６）を設ける。収納袋内部にネット（１）を設ける。
（ハ）ネット（１）の先端にフック（２）を設け、ネットからまり防止のフック収納用ゴムバンド（３）を設ける。
（ニ）前面の収納袋（６）の下に、面ファスナー付き下部面材（７）を設ける。
本発明は以上のような構造である。
本発明を使用するときは、台車の先端上部に、本品の上部面材（４）を乗せ、前面に収納袋（６）、下面に面ファスナー付き下部面材（７）をＵの字型に取り付ける。
次に、面ファスナー付きバンド（５）を側面から巻きつけて、下面に貼り付けて固定する。
次に、収納袋（６）からネット（１）を取り出し台車の上の積み荷に被せ、フック（２）をフック収納用ゴムバンド（３）に挟み込んでネット（１）にからまないようにする。
次に、それ（３）を軸にして、ネット（１）を丸め込み、収納袋（６）に収納する。
【図面の簡単な説明】
【０００７】
【図１】  本発明の斜視図
【図２】  本発明の使用状態を示す斜視図
【図３】  本発明の平面図
【符号の説明】
【０００８】（１）ネット
（２）フック
（３）フック収納用ゴムバンド
（４）上部面材
（５）面ファスナー付きバンド
（６）収納袋
（７）面ファスナー付き下部面材
【図１】
2010089767.tif 000003
【図２】
2010089767.tif 000004
【図３】
2010089767.tif 000005
(57)【要約】      （修正有）【課題】トイレが無かった為に不便である。【解決手段】給油タンクを半分量にして水タンクを取り付け、運転席１４の後部座席１５に水洗トイレ３を取り付けたものである。また、外部から見られないように上部（天井）よりカーテン４で覆い、天井に換気扇５をとり付けたものである。後部座席１５の背もたれ部分を上にあげ、座イスを背もたれぶぶんにはめ込むことによって可能となる仕組みである。ペーパーや水洗スイッチは運転席１４内部に収納する。【選択図】図１
2010089765.tif 000002
【特許請求の範囲】
【請求項１】
水タンクを取り付け、用を足す事のできる車。
【発明の詳細な説明】
【発明の詳細な説明】
この発明は、今までにない発明だと思う。給油タンクを半分量にして水タンクを取り付け、運転席の後部座席に水洗トイレを取り付けたものである。また、外部から見られないように上部（天井）よりカーテンで覆い、天井に換気扇をとり付けたものである。後部座席の背もたれ部分を上にあげ、座イスを背もたれぶぶんにはめ込むことによって可能となる仕組みである。ペーパーや水洗スイッチは運転席内部に収納する。
イ．この発明は不可能とされていたものを可能としたものである。
ロ．従来の欠点としてはトイレが無かった為に不便を感じていた事である。
ハ．注意する点としては必ず給水タンク、汚物処理器は給油口の反対側に、取り付ける事である。
【図面の簡単な説明】
【図１】    一部断面図
【図２】    上から見た図
【符号の説明】
１．リアシート      ６．カーテンレール    １１．ペーパー，スイッチ
２．座席            ７．給水口                  収納こ
３．トイレ          ８．汚物処理器        １２．カバー
４．カーテン        ９．水洗スイッチ      １３．フタ
５．換気扇        １０．ペーパー          １４．運転席
１５．後部座席
【図１】
2010089765.tif 000003
【図２】
2010089765.tif 000004
(57)【要約】【課題】  従来、庭園の植え込みや生垣の中から生えてくる、チガヤやヨモギなどの宿根性植物を、家庭でも手軽に、ピンポイント除草出来るようにすることを目的とする。【解決手段】  本発明は、長方形の粘着紙の両端を残して、その中央に、茎葉吸収移行型除草剤を含ませた除草綿を設けたうえ、剥離紙によってシールした構成とする。【選択図】図１
2010130995.tif 000002
【特許請求の範囲】
【請求項１】
粘着シールの両端を残した、その中央に、除草剤を含ませた除草綿を設けたうえ、剥離紙によってシールしたことを特徴とするピンポイント除草シール。
【発明の詳細な説明】
【技術分野】
【０００１】  本発明は、庭の植え込みや生垣などの根元から伸びてくる、チガヤやヨモギなど背の高い宿根性植物を、個別に根ごと枯らしていくことに関する。
【背景技術】
【０００２】  従来、植え込み・生垣などの中から生えてくるチガヤやススキ、ヨモギなどの宿根性植物だけを、選択的にピンポイントで除草する方法としては、たとえば、除草剤をそれらの雑草に個別に塗布していく除草剤塗布器がある（例えば、特許文献１）。また、コンデンサー又は二次電池に充電しておいて、瞬間放電させる電気除草機ものもある（例えば、特許文献２）。
【特許文献１】特開２００７−１１７０１０号公報
【特許文献２】特開２００１−３４６４９６号公報
【発明の開示】
【発明が解決しようとする課題】
【０００３】  従来、庭園の植え込みや生垣の中から生えてくる、チガヤやヨモギなどの宿根性植物を、選択的にピンポイント除草する方法としては、特殊な除草剤塗布器や電気除草器などがある。しかし、装置も複雑で高価なものとなり、家庭で手軽に利用することは出来なかった。本発明は、それらの難点を解決して、何らの装置を用いないでピンポイント除草を可能にし、根まで枯らすことを課題とする。
【課題を解決するための手段】
【０００４】  本発明は、長方形の粘着紙の両端を残して、その中央に、除草剤を含ませた除草綿を粘着させたうえ、剥離紙によってシールした構成とする。
【発明の効果】
【０００５】  本発明のピンポイント除草シールは、粘着シールの中央に、除草剤を含ませた綿（以下、除草綿と言う）を設け、その上を剥離紙で覆っている。したがって、剥離紙をはがして除草綿を露出させ、枯らしたい宿根性植物の茎とか葉に当てて、ベースになっている粘着テープによって、ぐるっと巻くようにして粘着固定すると、除草綿に含まれている除草剤は、茎葉経由で、継続して植物体内に吸収されていく。【０００６】  しかも、その除草剤成分は、枯らしたい宿根性雑草のみに接触し、周囲の樹木には、粘着紙によって隔離されるため、何らの影響を受けることはない。したがって、植え込みや生垣などの樹木には何らの障害を与えることなく、不必要な雑草のみ、選択的に除草を行うことが可能である。
【発明を実施するための最良の形態】
【０００７】  本発明が、植え込みや生垣などの樹木に、何らの障害を与えることなく、宿根性植物のみに除草効果を上げるために実施する最良の形態について述べる。
【実施例】
【０００８】  図１によって、本発明の実施例を説明する。やや長方形状の粘着紙１の中央部に、除草綿２を粘着固定し、その上を、剥離紙３によってシールする。粘着紙１の大きさは、除草綿２を中央に置いて、その両端に、植物体の茎葉などに巻きつけることが可能な部分を有するものである。したがって、粘着紙１の中央に除草綿２を粘着した場合、その長手方向に粘着部分を若干残しているが、その短手方向は、図示のように若干残しても良いし、残さなくてもかまわない。【０００９】  除草綿２は、最適には高分子吸水樹脂繊維、もしくは、脱脂綿・パルプ繊維に、茎葉経由除草剤を含ませて構成する。除草剤は、茎葉吸収移行型除草剤であって、液状もしくは粉末状のいずれでもよい。液状除草剤を含ませたものの方が、使用直後から効果を発揮する。粉末除草剤を含ませたものは、散水もしくは降雨をを待って効果が発揮されるため、その効果の発現は遅れることになるが、取り扱いには薬液のべた付きがない。尚、粉末除草剤を含ませた実施例の場合は、取り付け後、散水もしくは降雨による水の浸入が必要なため、取り付け上部が密封状態にならないようにする配慮が必要である。【００６８】  使用に当たっては、まず、本発明のピンポイント除草シールの剥離紙３をめくり取る。そして、露出した除草綿２を、植え込みや生垣などの樹木の間に生えている宿根性植物４の茎または葉の一部に当てて、粘着紙１で包むようにして粘着する。図２は、その取り付け状態の説明図である。実験によると、１０日から２週間くらいで枯死し始めるので、植え込みなどの外観上見苦しくない箇所でカットして捨てる。
【図面の簡単な説明】
【００６９】
【図１】  本発明の実施例を示す説明図。
【図２】  本発明の使用状態を示す説明図。
【符号の説明】
【００７０】  １  粘着紙
２  除草綿
３  剥離紙
４  宿根性植物
【図１】
2010130995.tif 000003
【図２】
2010130995.tif 000004